(57)【特許請求の範囲】
【請求項１】
画像を形成して投射する画像投射部と、
前記画像投射部によって投射された画像を表示する表示部と、
前記画像投射部による画像形成を制御する制御部と、
前記表示部を支持するフレーム部材と、
前記フレーム部材に取り付けられて、前記画像投射部及び前記制御部を収容するケース部材と、
前記フレーム部材に設けられ、前記フレーム部材をユーザーの頭部に装着させる装着部材と、を備え、
前記制御部は、前記画像投射部に対する下側に位置し、
前記ケース部材は、
前記制御部の周囲を囲む第１リブを有し、前記画像投射部と前記制御部との間に位置する内部ケースと、
前記フレーム部材に取り付けられる外部ケースと、を有し、
前記外部ケースは、前記内部ケースと前記制御部とを下方にて覆う下部ケースを有し、
前記下部ケースは、前記第１リブと当接する当接面を有することを特徴とする頭部装着型画像表示装置。
【請求項２】
請求項１に記載の頭部装着型画像表示装置において、
前記画像投射部は、
前記画像を形成する画像形成部と、
前記画像形成部により形成された前記画像を投射するレンズと、
前記レンズを収容する鏡筒と、を有することを特徴とする頭部装着型画像表示装置。
【請求項３】
請求項１又は請求項２に記載の頭部装着型画像表示装置において、
前記画像投射部は、前記画像を形成する画像形成部を有し、
前記画像形成部は、前記画像形成部と前記制御部とを接続する信号線を有し、
前記内部ケースは、前記信号線が挿通される第１開口部を有することを特徴とする頭部装着型画像表示装置。
【請求項４】
請求項１から請求項３のいずれか一項に記載の頭部装着型画像表示装置において、
前記フレーム部材は、
前記表示部を支持するフロント部と、
前記フロント部の端部から前記フロント部に交差する方向に延出した側面部と、を有し、
前記側面部は、前記側面部の延出方向に沿う第２リブを有し、
前記第２リブは、上面に前記延出方向に沿う溝部を有し、
前記外部ケースは、前記溝部内に挿入される突出部を有することを特徴とする頭部装着型画像表示装置。
【請求項５】
請求項４に記載の頭部装着型画像表示装置において、
前記溝部は、前記側面部における所定の位置から前記フロント部側とは反対側の端部まで形成され、
前記外部ケース及び前記側面部の少なくともいずれかは、前記フロント部側とは反対側に前記溝部を露出させる第２開口部を有することを特徴とする頭部装着型画像表示装置。
【請求項６】
請求項４又は請求項５に記載の頭部装着型画像表示装置において、
前記外部ケースは、
前記画像投射部及び前記内部ケースを上方にて覆う上部ケースを有し、
前記上部ケースは、前記突出部を有することを特徴とする頭部装着型画像表示装置。
【請求項７】
請求項６に記載の頭部装着型画像表示装置において、
前記延出方向に略直交し、かつ、上下方向に直交する幅方向における前記内部ケースの寸法は、前記幅方向における前記上部ケースの寸法より小さいことを特徴とする頭部装着型画像表示装置。
【請求項８】
請求項４から請求項７のいずれか一項に記載の頭部装着型画像表示装置において、
前記側面部は、前記内部ケース側に突出する係合部を有し、
前記内部ケースは、前記係合部と係合して、前記側面部に対して前記内部ケースを位置決めする位置決め部を有することを特徴とする頭部装着型画像表示装置。
【請求項９】
請求項１から請求項８のいずれか一項に記載の頭部装着型画像表示装置において、
前記外部ケースは、
前記画像投射部及び前記内部ケースを上方にて覆う上部ケースを有し、
前記当接面は、前記第１リブの先端面と当接することを特徴とする頭部装着型画像表示装置。
【請求項１０】
請求項９に記載の頭部装着型画像表示装置において、
前記下部ケースは、
前記内部ケースに対向する対向面の周縁に沿って起立する起立部と、
前記起立部の内側に位置し、前記起立部の先端面より低く、前記対向面より高い位置に形成された内側段差部と、を有し、
前記内側段差部は、前記当接面を有し、
前記第１リブの側面は、前記起立部の側面に当接することを特徴とする頭部装着型画像表示装置。
【請求項１１】
請求項９又は請求項１０に記載の頭部装着型画像表示装置において、
前記下部ケースは、
前記内部ケースに対向する対向面の周縁に沿って起立する起立部と、
前記起立部の外側に位置し、前記起立部の先端面より低く、前記下部ケースの下面より高い位置に形成された外側段差部と、を有し、
前記上部ケースの下端縁は、前記外側段差部に当接することを特徴とする頭部装着型画像表示装置。
【請求項１２】
請求項１から請求項１１のいずれか一項に記載の頭部装着型画像表示装置において、
前記フレーム部材及び前記ケース部材は、前記表示部の一端が挿通される挿通部を有し、
前記挿通部の内部には、前記表示部の一端を囲み、前記表示部と前記挿通部とを接続する防水部材が設けられていることを特徴とする頭部装着型画像表示装置。
【請求項１３】
画像を形成して投射する画像投射部と、
前記画像投射部によって投射された画像を表示する表示部と、
前記画像投射部による画像形成を制御する制御部と、
前記表示部を支持するフレーム部材と、
前記フレーム部材に取り付けられて前記画像投射部及び前記制御部を収容するケース部材と、
前記フレーム部材に設けられ、前記フレーム部材をユーザーの頭部に装着させる装着部材と、を備え、
前記制御部は、前記画像投射部に対する下側に位置し、
前記ケース部材は、
前記制御部の周囲を囲む第１リブを有し、前記画像投射部と前記制御部との間に位置する内部ケースと、
前記フレーム部材に取り付けられて、前記画像投射部及び前記制御部と、前記内部ケースとを覆う外部ケースと、を有し、
前記フレーム部材は、
前記表示部を支持するフロント部と、
前記フロント部の端部から前記フロント部に交差する方向に延出した側面部と、を有し、
前記側面部は、前記側面部の延出方向に沿う第２リブを有し、
前記第２リブは、上面に前記延出方向に沿う溝部を有し、
前記外部ケースは、前記溝部内に挿入される突出部を有することを特徴とする頭部装着型画像表示装置。
【発明の詳細な説明】
【技術分野】
【０００１】
本発明は、頭部装着型画像表示装置に関する。
【背景技術】
【０００２】
従来、ユーザーの頭部に装着され、当該ユーザーが画像を視認可能に表示する頭部装着型画像表示装置、いわゆるヘッドマウントディスプレイ（ＨＭＤ：Head Mounted Display）が知られている。このようなヘッドマウントディスプレイとして、防塵構造を有する虚像表示装置が知られている（例えば、特許文献１参照）。
【０００３】
この特許文献１に記載の虚像表示装置は、右眼用の虚像を形成する第１表示装置と、左眼用の虚像を形成する第２表示装置と、これら表示装置を支持する枠部と、を備える。これらのうち、各表示装置は、映像表示素子、及び、鏡筒部に収納される投射レンズを含む像形成本体部と、投射された映像光（虚像を形成する光）をユーザー（観察者）の眼に導く導光装置と、を備える。この導光装置のうち、光源側に位置する先端部は、鏡筒部の端部に嵌合されることにより、投射レンズに精度よく位置決め固定される。また、導光装置の導光部材と投射レンズを覆う鏡筒部との間には、シール部材による防塵構造が設けられている。このような防塵構造により、塵埃が鏡筒部の内部に入り込んで取り除けなくなることが抑制される。
【先行技術文献】
【特許文献】
【０００４】
【特許文献１】特開２０１５−１２１７４０号公報
【発明の概要】
【発明が解決しようとする課題】
【０００５】
近年、ヘッドマウントディスプレイの用途は拡大され、屋内で利用される場合だけでなく、屋外で利用される場合が想定され、ヘッドマウントディスプレイ内に雨や汗等の液体が侵入する可能性が生じてきた。
これに対し、接着剤等によりヘッドマウントディスプレイの各構成の隙間を埋めたり、防水のための部材を追加したりすることが考えられる。しかしながら、このような構成では、組立作業が煩雑化するという問題がある。
【０００６】
本発明は、上記課題の少なくとも一部を解決することを目的としたものであり、組立作業が複雑化することなく防水できる頭部装着型画像表示装置を提供することを目的の１つとする。
【課題を解決するための手段】
【０００７】
本発明の一態様に係る頭部装着型画像表示装置は、画像を形成して投射する画像投射部と、前記画像投射部によって投射された画像を表示する表示部と、前記画像投射部による画像形成を制御する制御部と、前記表示部を支持するフレーム部材と、前記フレーム部材に取り付けられて前記画像投射部及び前記制御部を収容するケース部材と、を備え、前記制御部は、前記画像投射部に対する下側に位置し、前記ケース部材は、前記制御部の周囲を囲む第１リブを有し、前記画像投射部と前記制御部との間に位置する内部ケースと、前記フレーム部材に取り付けられて、前記画像投射部及び前記制御部と、前記内部ケースとを覆う外部ケースと、を有することを特徴とする。
【０００８】
上記一態様によれば、フレームに取り付けられたケース部材に収容される画像投射部及び制御部のうち、制御部は、画像投射部に対して下側に位置する。そして、制御部は、画像投射部と当該制御部との間に位置する内部ケースの第１リブによって周囲が囲まれ、更に、外部ケースによって覆われる。これによれば、外装となる外部ケースによって、外部の液体が侵入して画像投射部及び制御部に付着することを抑制できる。更に、制御部は、内部ケースの第１リブによって周囲が囲まれることから、ケース部材内に当該液体が侵入しても、制御部に当該液体が付着することを確実に抑制できる。従って、液体が侵入する可能性がある隙間を、接着剤等の充填材を用いて埋めることなく、制御部の防水を図ることができるので、頭部装着型画像表示装置の組立作業が複雑化することなく、当該頭部装着型画像表示装置の防水構造を構成できる。
【０００９】
上記一態様では、前記画像投射部は、前記画像を形成する画像形成部と、前記画像形成部により形成された前記画像を投射するレンズと、前記レンズを収容する鏡筒と、を有することが好ましい。
なお、画像形成装置としては、例えば、自己発光型表示パネルや、光源と光変調装置との組合せを例示でき、光変調装置としては、液晶パネルの他、ＭＥＭＳミラー等のマイクロミラーを用いたデバイスを例示できる。
このような構成によれば、画像投射部が、供給される画像情報に応じた画像を表示部に確実に投射できる。
【００１０】
上記一態様では、前記フレーム部材は、前記表示部を支持するフロント部と、前記フロント部の端部から前記フロント部に交差する方向に延出した側面部と、を有し、前記側面部は、前記側面部の延出方向に沿う第２リブを有し、前記第２リブは、上面に前記延出方向に沿う溝部を有し、前記外部ケースは、前記溝部内に挿入される突出部を有することが好ましい。
このような構成によれば、側面部において上記延出方向に沿うリブには、溝部が形成されている。そして、フレーム部材に取り付けられる外部ケースの突出部は、当該溝部内に挿入される。これによれば、側面部と外部ケースとの隙間に上記液体が侵入した場合、当該溝部によって、上記延出方向の一端側及び他端側に当該液体を導くことができる。このため、液体を付着させたくない構成要素（例えば制御部）から当該液体を遠ざけることができる。従って、当該部材に液体が付着することを抑制でき、頭部装着型画像表示装置の防水構造を確実に構成できる。
また、溝部内に挿入される突出部が、外部ケースにおいて側面部に当接する端部に形成されている場合には、当該端部を伝う液体を溝部に導きやすくすることができる。
【００１１】
上記一態様では、前記溝部は、前記側面部における所定の位置から前記フロント部側とは反対側の端部まで形成され、前記外部ケース及び前記側面部の少なくともいずれかは、前記フロント部側とは反対側に前記溝部を露出させる開口部を有することが好ましい。
このような構成によれば、溝部は、側面部においてフロント部側の端部から当該フロント部側とは反対側の端部に亘る上記延出方向の全域に形成される。そして、溝部を露出させる開口部が、外部ケース及び側面部の少なくともいずれかにおける当該フロント部側とは反対側の端部に位置する。これによれば、側面部と外部ケースとの間から溝部に侵入した液体を、当該溝部に沿って上記フロント部側とは反対側に導き、上記開口部から外部に排出できる。従って、制御部等の上記構成要素に液体が付着することを確実に抑制でき、頭部装着型画像表示装置の防水構造を確実に構成できる。
【００１２】
上記一態様では、前記外部ケースは、前記画像投射部及び前記内部ケースを上方にて覆う上部ケースと、前記内部ケース及び前記制御部を下方にて覆う下部ケースと、を有し、前記上部ケースは、前記突出部を有することが好ましい。
このような構成によれば、外部ケースは、それぞれ個別の上部ケース及び下部ケースを有する。これによれば、上部ケース及び下部ケースが一体化された外部ケースをフレーム部材（例えば上記側面部）に取り付ける場合に比べて、上記溝部に挿入される突出部を有する外部ケースをフレーム部材に取り付けやすくすることができる。
【００１３】
上記一態様では、前記延出方向に略直交し、かつ、上下方向に直交する幅方向における前記内部ケースの寸法は、前記幅方向における前記上部ケースの寸法より小さいことが好ましい。
このような構成によれば、上部ケースによって内部ケースを確実に覆うことができる。従って、上部ケースの上側から雨等の液体や衝撃から内部ケース、ひいては、当該内部ケースの下側に位置する制御部を確実に保護できる。
【００１４】
上記一態様では、前記側面部は、前記内部ケース側に突出する係合部を有し、前記内部ケースは、前記係合部と係合して、前記側面部に対して前記内部ケースを位置決めする位置決め部を有することが好ましい。
このような構成によれば、側面部に内部ケースを位置決めできる。これにより、当該内部ケースを覆うようにして取り付けられる外部ケースの取付を容易に実施できる。
【００１５】
上記一態様では、前記外部ケースは、前記画像投射部及び前記内部ケースを上方にて覆う上部ケースと、前記内部ケース及び前記制御部を下方にて覆う下部ケースと、を有し、前記下部ケースは、前記第１リブの先端面と当接する当接面を有することが好ましい。
このような構成によれば、内部ケース及び制御部を下方にて覆う下部ケースが、内部ケースにいて当該制御部の周囲を囲む第１リブの先端面と当接する当接面を有する。これによれば、第１リブ及び下部ケースによって形成され、制御部が配置される空間内に、当該第１リブと下部ケースとの間に、液体が侵入可能な隙間が形成されることを抑制できる。従って、制御部に当該液体が付着することを確実に抑制でき、当該制御部を保護できる。
【００１６】
上記一態様では、前記下部ケースは、前記内部ケースに対向する対向面の周縁に沿って起立する起立部と、前記起立部の内側に位置し、前記起立部の先端面より低く、前記対向面より高い位置に形成された内側段差部と、を有し、前記内側段差部は、前記当接面を有し、前記第１リブの側面は、前記起立部の側面に当接することが好ましい。
このような構成によれば、起立部の内側に形成された内側段差部に、第１リブの先端面が当接し、当該第１リブの側面は、起立部の側面に当接する。これによれば、内側段差部に当接する第１リブにより周縁が囲まれる制御部の配置空間内に、第１リブと起立部との間から液体が侵入することを抑制できる。従って、制御部に液体が付着することを一層確実に抑制できる。
【００１７】
上記一態様では、前記下部ケースは、前記内部ケースに対向する対向面の周縁に沿って起立する起立部と、前記起立部の外側に位置し、前記起立部の先端面より低く、前記下部ケースの下面より高い位置に形成された外側段差部を有し、前記上部ケースの下端縁は、前記外側段差部に当接することが好ましい。
このような構成によれば、上部ケースの下端縁が、下部ケースの起立部の外側に形成された上記外側段差部に当接することにより、当該下部ケースと上部ケースとの間に、液体が侵入する隙間が形成されることを抑制できる。従って、外部ケース内に液体が侵入することを抑制でき、当該外部ケースによって下方が覆われる制御部等の上記構成要素に当該液体が付着することを確実に抑制できる。
【００１８】
上記一態様では、前記フレーム部材及び前記ケース部材は、前記表示部の一端が挿通される挿通部を有し、前記挿通部の内部には、前記表示部の一端を囲み、前記表示部と前記挿通部とを接続する防水部材が設けられていることが好ましい。
このような構成によれば、上記挿通部の内縁と表示部との間に、液体が侵入する隙間が形成されることを抑制できる。従って、画像投射部に液体が付着することを確実に抑制できる。
【図面の簡単な説明】
【００１９】
【図１】本発明の一実施形態に係るＨＭＤを示す斜視図。
【図２】上記実施形態におけるＨＭＤを示す斜視図。
【図３】上記実施形態におけるレンズホルダー及び遮蔽部材が装着されたＨＭＤを示す斜視図。
【図４】上記実施形態におけるノーズパッド及び遮蔽部材が装着されたＨＭＤを示す斜視図。
【図５】上記実施形態における撮像装置を示す分解斜視図。
【図６】上記実施形態における撮像装置を示す分解斜視図。
【図７】上記実施形態における上部ケース及び下部ケースを取り外したＨＭＤを示す斜視図。
【図８】上記実施形態における上部ケース及び下部ケースを取り外したＨＭＤを示す斜視図。
【図９】上記実施形態における画像投射部を示す斜視図。
【図１０】上記実施形態における画像投射部を示す斜視図。
【図１１】上記実施形態におけるフレーム本体を示す斜視図。
【図１２】上記実施形態におけるフレーム本体を示す斜視図。
【図１３】上記実施形態におけるリブに形成された溝部を示す図。
【図１４】上記実施形態におけるリブに形成された溝部を示す図。
【図１５】上記実施形態における上部ケースを示す斜視図。
【図１６】上記実施形態における基板ホルダーを示す斜視図。
【図１７】上記実施形態における基板ホルダーを示す斜視図。
【図１８】上記実施形態における下部ケースを示す斜視図。
【図１９】上記実施形態における下部ケースを示す平面図。
【図２０】上記実施形態におけるフレーム本体に対する画像投射部、制御部及びケース部材の取付工程を説明する図。
【図２１】上記実施形態における右側の収容部を背面側から見た図。
【図２２】上記実施形態における右側の収容部を示す断面図。
【図２３】上記実施形態におけるＨＭＤを背面側下方から見た斜視図。
【図２４】上記実施形態における導光部材に設けられた防水部材を示す斜視図。
【発明を実施するための形態】
【００２０】
以下、本発明の一実施形態について、図面に基づいて説明する。
［ＨＭＤの外観構成］
図１〜図４は、本実施形態に係るＨＭＤ１の外観を示す斜視図である。詳述すると、図１及び図３は、当該ＨＭＤ１を前面側上方から見た斜視図であり、図２は、当該ＨＭＤ１を背面側下方から見た斜視図であり、図４は、当該ＨＭＤ１を背面側上方から見た斜視図である。なお、図３においては、レンズホルダーＬＨ及び遮蔽部材ＳＤが装着されたＨＭＤ１を図示しており、また、図４においては、ノーズパッドＮＰ及び遮蔽部材ＳＤが装着されたＨＭＤを図示している。
本実施形態に係るＨＭＤ（Head Mounted Display）１は、ユーザーの頭部に装着されて使用され、当該ユーザーによって視認可能に画像を表示するとともに、外光を透過させて外界を観察可能とするシースルー型の頭部装着型画像表示装置である。このＨＭＤ１は、図１〜図４に示すように、フレーム２と、それぞれフレーム２に支持される撮像装置８（図１）及び２つの光学装置９Ｒ，９Ｌと、を備える。この他、ＨＭＤ１は、フレーム２にノーズパッドＮＰ（図４）、レンズホルダーＬＨ（図３）及び遮蔽部材ＳＤ（図３）を着脱可能に構成されている。
そして、本実施形態に係るＨＭＤ１は、詳しくは後述するが、収容部ＨＰＲ，ＨＰＬ内に配置された画像投射部９１及び制御部９６の防水を図ることができる構成を有する点を特徴の１つとしている。
【００２１】
なお、以下の説明では、ＨＭＤ１を装着したユーザーを正面視した場合に、ＨＭＤ１において観察される側を前面側（或いは前方）とし、反対側を背面側（或いは後方）とする。また、ＨＭＤ１における上側及び下側は、当該ユーザーにおける上側及び下側に対応し、ＨＭＤ１における右側及び左側は、当該ＨＭＤ１を装着したユーザーにおける右側及び左側に対応する。
そして、以下に示す図及び説明においては、互いに直交する＋Ｘ方向、＋Ｙ方向及び＋Ｚ方向のうち、＋Ｚ方向を背面側から前面側に向かう方向とし、＋Ｙ方向を下側から上側に向かう方向として記載し、＋Ｘ方向を左側から右側に向かう方向とする。更に、説明の便宜上、＋Ｚ方向の反対方向を−Ｚ方向とする。−Ｙ方向及び−Ｘ方向も同様である。
【００２２】
［ノーズパッドの構成］
ノーズパッドＮＰは、図４に示すように、フレーム本体３において後述する導光部材９７Ｒ，９７Ｌの間に位置する装着部３１１に背面側から挿抜可能に設けられる。このノーズパッドＮＰは、ＨＭＤ１の装着時にユーザーの鼻（小鼻に応じた部位）を左右から挟み、これにより、当該ＨＭＤ１が左右にずれたり、下方にずれたりすることを抑制する。
【００２３】
［レンズホルダーの構成］
レンズホルダーＬＨは、図３に示すように、テンプルのない眼鏡様の構成を有する。このレンズホルダーＬＨは、視力矯正用の左右のレンズ（図示省略）を保持して、上記装着部３１１に背面側から挿抜可能に設けられる。
【００２４】
［遮蔽部材の構成］
遮蔽部材ＳＤは、図３に示すように、導光部材９７Ｒ，９７Ｌを挟んで上記ノーズパッドＮＰ及びレンズホルダーＬＨ側とは反対側である前面側にて当該導光部材９７Ｒ，９７Ｌを覆うように上記装着部３１１に着脱可能に取り付けられる。この遮蔽部材ＳＤは、導光部材９７Ｒ，９７Ｌに入射される外光の少なくとも一部を遮蔽して外界を見づらくし、これにより、表示される画像の視認性を向上させる。
【００２５】
［フレームの概略構成］
フレーム２は、図１〜図４に示すように、眼鏡のフレーム様の構成を有し、上記のように、撮像装置８及び光学装置９Ｒ，９Ｌを支持する他、上記ノーズパッドＮＰ、レンズホルダーＬＨ及び遮蔽部材ＳＤを支持する。このフレーム２は、上方から見て略Ｕ字状を有するフレーム本体３と、当該フレーム本体３に取り付けられるケース部材４Ｒ，４Ｌと、当該フレーム本体３にそれぞれ設けられるテンプルＴＭＲ，ＴＭＬと、を有する。
【００２６】
これらのうち、右側のテンプルＴＭＲ及び左側のテンプルＴＭＬは、ユーザーの耳に懸架されて、ＨＭＤ１を支持する部品である。これらテンプルＴＭＲ，ＴＭＬは、フレーム本体３に設けられた支持部３５Ｒ，３５Ｌに、ユーザー側に屈曲可能に接続されている。これらテンプルＴＭＲ，ＴＭＬを、対応する側面部３２Ｒ，３２Ｌと略平行に伸ばすことにより、当該テンプルＴＭＲ，ＴＭＬをユーザーの左右の耳にかけることができ、ＨＭＤ１を頭部に装着できる。一方、ユーザーがＨＭＤ１を装着しない場合には、テンプルＴＭＲ，ＴＭＬを内側に屈曲させることにより、当該テンプルＴＭＲ，ＴＭＬを折り畳むことができる。
なお、テンプルＴＭＲ，ＴＭＬは、ユーザー側の面、及び、ユーザー側とは反対側の面のそれぞれに露出する断面Ｈ型のゴム等の弾性部材が嵌め込まれたプレートにより構成されている。このようなプレートは、合成樹脂やチタン等の金属により形成できる。なお、弾性部材は、このような構成に限らず、プレートにおけるユーザー側の面、及び、ユーザー側とは反対側の面のそれぞれに接着又は嵌合されてもよく、これらの面のいずれかのみに設けられていてもよい。
【００２７】
フレーム本体３は、ユーザーの額に沿うフロント部３１と、当該フロント部３１の左右の両端から当該フロント部３１と交差する背面側（ユーザーの後方）に延出して、ユーザーの左右のこめかみに沿う側面部３２Ｒ，３２Ｌと、を有する。このフレーム本体３は、フロント部３１及び側面部３２Ｒ，３２Ｌが一体的に形成された金属製の一体成型品である。
フロント部３１は、フレーム本体３において左右方向に沿う部位である。このフロント部３１は、ユーザーの左右の眼前に配置される表示部としての導光部材９７Ｒ，９７Ｌを支持する他、支持された導光部材９７Ｒ，９７Ｌの間に位置する上記装着部３１１にてノーズパッドＮＰ、レンズホルダーＬＨ及び遮蔽部材ＳＤを支持する。また、フロント部３１における左側端部３１Ｌ及び右側端部３１Ｒは、上方から見て後方側に円弧状に湾曲しており、右側端部３１Ｒには、後述する撮像装置８が配置されている。そして、右側端部３１Ｒから側面部３２Ｒが後方に延出しており、左側端部３１Ｌから側面部３２Ｌが後方に延出している。
側面部３２Ｒは、ケース部材４Ｒと組み合わされて、光学装置９Ｒを構成する右側の画像投射部９１及び制御部９６を内部に収容する収容空間Ｓ（図７及び図８）を有する収容部ＨＰＲを構成する。
同様に、側面部３２Ｌは、ケース部材４Ｌと組み合わされて、光学装置９Ｌを構成する左側の画像投射部９１及び制御部９６を内部に収容する収容空間Ｓを有する収容部ＨＰＬを構成する。
これら側面部３２Ｒ，３２Ｌ及びケース部材４Ｒ，４Ｌについては、後に詳述する。
【００２８】
［撮像装置の構成］
図５及び図６は、撮像装置８を示す分解斜視図である。具体的に、図５は、正面側上方から見た撮像装置８の分解斜視図であり、図６は、背面側下方から見た撮像装置８の分解斜視図である。
撮像装置８は、図１〜図４に示すように、フレーム本体３に設けられている。具体的に、撮像装置８は、フロント部３１における右側端部３１Ｒに設けられている。この撮像装置８は、図５及び図６に示すように、撮像部８１、発光部８２、第１支持部材８３、第２支持部材８４、カバー部材８５、透光性部材８６及び防水部材８７を有する。
【００２９】
撮像部８１は、ＣＣＤ（Charge-Coupled Device）イメージセンサーやＣＭＯＳ（Complementary Metal Oxide Semiconductor）イメージセンサー等の撮像素子と、撮像対象を照明する発光素子と、を有する。この撮像部８１は、当該撮像素子による撮像方向、及び、発光素子による照明方向がＨＭＤ１の前方を向くように、上記右側端部３１Ｒに形成された開口部３１Ｒ１内に配置される。このような撮像部８１は、カバー部材８５に取り付けられた透光性部材８６を介してユーザーの前方の領域を撮像する。
発光部８２は、ＬＥＤ（Light Emitting Diode）等の発光素子を有し、当該発光素子による光の出射方向が側方（右方）を向くように、上記右側端部３１Ｒに形成された開口部３１Ｒ２内に配置される。このような発光部８２は、撮像装置８の動作状態を報知するものであり、撮像部８１による撮像が行われている場合に点灯する。このような発光部８２から出射された光は、カバー部材８５を介して外部から確認される。
【００３０】
第１支持部材８３は、上記右側端部３１Ｒの内面に沿う形状を有し、当該右側端部３１Ｒの内側に配置される。この第１支持部材８３は、開口部３１Ｒ１内に一部が配置されて上記撮像部８１を支持する支持部８３１と、開口部３１Ｒ２内に一部が配置されて発光部８２を支持する支持部８３２と、を有する。
第２支持部材８４は、上方から見て略Ｌ字状に形成されており、第１支持部材８３と組み合わされて、撮像部８１及び発光部８２を支持する。この第２支持部材８４は、撮像部８１を露出させる円形状の開口部８４１と、発光部８２を露出させる円形状の開口部８４２と、を有する。
【００３１】
カバー部材８５は、一部が開口部３１Ｒ１，３１Ｒ２に背面側の位置に突設された突出部８５１，８５２（図６）が嵌め込まれて上記右側端部３１Ｒに取り付けられ、上記第２支持部材８４を前面側から覆う。このカバー部材８５は、＋Ｚ方向に直交する端面８５Ａと、＋Ｘ方向に直交する端面８５Ｂと、を有する略Ｌ字状に形成されている。そして、端面８５Ａには、撮像部８１に外光を導く透光性部材８６（図５）が配置される他、当該透光性部材８６を介した光を撮像部８１に導く開口部８５３、及び、撮像部８１の発光素子から出射された光が通過する通過口８５４（ともに図６）が形成されている。このようなカバー部材８５は、内部を確認しづらいが光の透過を許容する樹脂によって形成され、上記発光部８２の点灯を外部から確認可能に構成されている。
ここで、透光性部材８６が円形状であると、撮像装置８の外観が如何にもカメラの外観となり、例え撮像部８１が動作していなくても「カメラが自身に向けられている」との不安感を周囲に与えてしまう可能性がある。このような不安感を和らげるために、透光性部材８６を矩形状に形成して、撮像装置８をカメラと把握されづらくしている。なお、透光性部材８６としては、撮像装置８の防水及び防塵を図ることができ、かつ、表面に傷等が付きにくいものであれば、レンズとして機能する構成としてもよい。
【００３２】
このようなカバー部材８５が配置される右側端部３１Ｒには、当該カバー部材８５の形状に応じた矩形状の段差部３１Ｒ３が形成されており、当該段差部３１Ｒ３にカバー部材８５は配置される。この段差部３１Ｒ３は、右側端部３１Ｒの外面より一段内側に凹んでおり、当該段差部３１Ｒ３の略全域は、取り付けられたカバー部材８５によって覆われる。
【００３３】
防水部材８７は、シート状に形成された防水シートにより構成されている。この防水部材８７は、開口部３１Ｒ１，３１Ｒ２に応じた開口部８７１，８７２を有する。そして、当該防水部材８７は、段差部３１Ｒ３とカバー部材８５との間に配置されて、これら段差部３１Ｒ３とカバー部材８５との間に、雨や汗等の液体が侵入することを抑制する。
このような撮像装置８は、収容部ＨＰＲ内に配置された制御部９６によって制御され、当該制御部９６に撮像画像を出力する他、発光部の点灯状態が制御される。
【００３４】
［光学装置の構成］
図７及び図８は、ケース部材４Ｒを構成する上部ケース５Ｒ及び下部ケース７Ｒを取り外したＨＭＤ１を背面側上方及び背面側下方からそれぞれ見た斜視図である。なお、図７及び図８においては、テンプルＴＭＬ，ＴＭＲの図示を省略している。
光学装置９Ｒは、フレーム２において右側に位置し、光学装置９Ｌは、左側に位置する。これら光学装置９Ｒ，９Ｌは、外部から入力される画像信号に応じた画像をユーザーに視認可能に表示する。これらのうち、光学装置９Ｒは、図７及び図８に示すように、側面部３２Ｒとケース部材４Ｒとが組み合わされて構成される収容部ＨＰＲにそれぞれ配置される画像投射部９１及び制御部９６と、上記フロント部３１に支持される導光部材９７Ｒと、を有する。
なお、以下の説明では光学装置９Ｒについて主に説明するが、光学装置９Ｌも、光学装置９Ｒとは鏡面対称となるが、当該光学装置９Ｒと同様の画像投射部９１、制御部９６及び導光部材９７Ｌを有する。
【００３５】
［画像投射部の構成］
図９は、画像投射部９１を画像光の投射側とは反対側（背面側）における上方から見た斜視図であり、図１０は、画像投射部９１を画像光の投射側（正面側）における下方から見た斜視図である。なお、図９及び図１０では、画像形成装置９２の枠体を図示し、表示パネルの図示を省略している。
各光学装置９Ｒ，９Ｌの画像投射部９１は、対応する導光部材９７Ｒ，９７Ｌに画像光（画像を形成する光）を投射するものであり、それぞれ対応する収容部ＨＰＲ，ＨＰＬに収容される被収容部材の１つである。この画像投射部９１は、図９及び図１０に示すように、画像形成装置９２及び投射光学装置９３が互いに組み合わされて一体化されたユニットとして構成されている。
【００３６】
画像形成装置９２は、制御部９６による制御の下、外部からケーブルＣＢを介して入力される画像信号に応じた画像光を形成する画像形成部である。この画像形成装置９２は、本実施形態では、有機ＥＬ（Electro-Luminescence）パネル等の自己発光型表示パネルにより構成されている。しかしながら、これに限らず、画像形成装置９２は、ＬＥＤ等の光源と、透過型又は反射型の液晶パネルや、ＭＥＭＳミラー等のマイクロミラーを用いたデバイス等の光変調装置との組合せにより構成することも可能である。
このような画像形成装置９２とフレーム本体３（後述する固定部３２０或いは側面部３２Ｒ，３２Ｌ）とは、図示しない熱伝導部材によって接続される。これにより、画像形成装置９２にて生じた熱を、外部に露出する金属製部材であるフレーム本体３に伝導でき、当該フレーム本体３にて外部に放熱できる。
【００３７】
投射光学装置９３は、画像形成装置９２によって形成された画像光を、対応する導光部材９７Ｒ，９７Ｌに出射する。この投射光学装置９３は、複数のレンズ９４と、当該複数のレンズ９４を収容する鏡筒９５とを備えた組レンズとして構成されている。なお、画像形成装置９２から入射される画像光を導光部材９７Ｒ，９７Ｌに導くことが可能であれば、当該複数のレンズの少なくとも１つに代えてプリズム（投射プリズム）を採用してもよい。
この鏡筒９５は、図９に示すように、上端面９５Ａにねじ孔である固定部９５１を有する他、図１０に示すように、下端面９５Ｂにねじ孔である固定部９５２を有する。そして、鏡筒９５は、鏡筒９５は、図７に示すように、固定部９５１にて側面部３２Ｒの固定部３２０に固定される。鏡筒９５の固定部９５２には、図８に示すように、基板ホルダー６Ｒが取り付けられる。すなわち、鏡筒９５を含む画像投射部９１は、基板ホルダー６Ｒによって下方側から覆われる。なお、図示を省略するが、光学装置９Ｌの画像投射部９１も、同様の基板ホルダーによって下方側から覆われる。
【００３８】
光学装置９Ｌを構成する制御部９６は、左側の収容部ＨＰＬに接続されたケーブルＣＢを介して外部から供給される画像信号に応じて、同じく光学装置９Ｌを構成する画像形成装置９２を動作させる。また、光学装置９Ｒを構成する制御部９６は、上記フロント部３１と導光部材９７Ｒ，９７Ｌとの間を通る信号線（図示省略）を介して、光学装置９Ｌの制御部９６から入力される画像信号に応じて、同じく光学装置９Ｒを構成する画像形成装置９２を動作させる。これら制御部９６も、上記収容部ＨＰＲ，ＨＰＬにそれぞれ収容される被収容部材の１つである。
なお、光学装置９Ｒの制御部９６には、上記撮像装置８を制御する制御回路が実装されている。
【００３９】
右側の導光部材９７Ｒ及び左側の導光部材９７Ｌは、それぞれ本発明の表示部を構成する。これら導光部材９７Ｒ，９７Ｌは、ユーザーの左右の眼前に配置され、対応する画像投射部９１から出射された画像光を、ユーザーの左眼及び右眼に導く。
具体的に、導光部材９７Ｒは、光学装置９Ｒの画像投射部９１から投射された右眼用の画像光を、界面にて内面反射させて中央側に進行させ、ユーザーの右眼に応じた位置に設けられた半透過層によって右眼に導く。左眼用の画像光を左眼に導く導光部材９７Ｌも同様である。
これら導光部材９７Ｌ，９７Ｒは、それぞれ可視光領域で高い光透過性を示す樹脂（例えばシクロオレフィンポリマー）により形成されている。このため、左右の眼前に配置された導光部材９７Ｒ，９７Ｌを介して、ユーザーは、外界を観察可能である。
【００４０】
［側面部の構成］
図１１及び図１２は、フレーム本体３を示す斜視図である。具体的に、図１１は、フレーム本体３を構成する側面部３２Ｒの内面３２Ａを背面側上方から見た斜視図であり、図１２は、当該内面３２Ａを背面側下方から見た斜視図である。
フレーム本体３は、本発明のフレーム部材に相当する。このフレーム本体３は、上記のように、フロント部３１及び左右の側面部３２Ｒ，３２Ｌを有する。
側面部３２Ｒは、図１１及び図１２に示すように、ユーザー側の内面３２Ａから起立して上記右側端部３１Ｒの上面と接続される固定部３２０と、同じく内面３２Ａからそれぞれ起立する第２リブとしてのリブ３２１〜３２５を有する。
【００４１】
固定部３２０は、上記フロント部３１の右側端部３１Ｒから背面側で、かつ、当該フロント部３１の上端面３１Ａから下方に下がった部位に位置する。この固定部３２０は、左右方向に沿う平面部（ＸＺ平面に沿う平面部）である。
この固定部３２０は、当該固定部３２０の下方に配置される鏡筒９５の固定部９５１に螺合するねじが上方から挿通する孔部３２０１を有する他、固定部３２０における前面側の縁部に、上部ケース５Ｒを位置決めするための突出部３２０２を有する。
このような固定部３２０は、側面部３２Ｒの内面３２Ａから突出しているので、突出量が大きいリブということもできる。
なお、図示を省略するが、側面部３２Ｌも、同様の固定部３２０を有する。
【００４２】
リブ３２１，３２２は、フロント部３１からの側面部３２Ｒの延出方向に沿って延出している。具体的に、リブ３２１は、側面部３２Ｒにおける上端近傍の位置に、上記固定部３２０と連続して背面側の端部近傍の位置まで延出している。すなわち、当該リブ３２１は、固定部３２０と併せて、フロント部３１からの側面部３２Ｒの延出方向に沿って当該側面部３２Ｒにおける前面側の端部から背面側に延出している。
リブ３２２は、側面部３２Ｒにおける上下方向の略中央で、かつ、背面側の位置に形成されている。
【００４３】
リブ３２３〜３２５は、フロント部３１からの側面部３２Ｒの延出方向に略直交する方向（第２方向）に沿って延出している。具体的に、リブ３２３は、リブ３２１における背面側の端部と、リブ３２２における前面側の端部とを接続している。リブ３２４は、リブ３２２における背面側の端部から上方に延出し、リブ３２５は、当該端部から下方に延出している。これらリブ３２４，３２５は、テンプルＴＭＲが回動可能に支持される支持部３５Ｒと接続されている。すなわち、支持部３５Ｒは、側面部３２Ｒと一体的に形成されている。
このようなリブ３２１〜３２５は、側面部３２Ｒの強度を高める機能を有する。
【００４４】
これらのうち、リブ３２２，３２４，３２５は、ケース部材４Ｒを固定するケース固定部を有する。
具体的に、リブ３２２が有するケース固定部３２２１は、基板ホルダー６Ｒを挿通して上部ケース５Ｒのねじ孔５１６（図１５）に螺合するねじが挿通する孔部である。
リブ３２４が有するケース固定部３２４１は、上部ケース５Ｒを挿通したねじが背面側から螺合するねじ孔である。
リブ３２５が有するケース固定部３２５１は、上部ケース５Ｒ及び下部ケース７Ｒを挿通したねじが螺合するねじ孔である。
このように、上部ケース５Ｒ、基板ホルダー６Ｒ及び下部ケース７Ｒのそれぞれの背面側端部は、側面部３２Ｒにおいて背面側に位置するリブ３２２，３２４，３２５にて固定される。
【００４５】
図１３及び図１４は、上記固定部３２０及びリブ３２１〜３２４に形成された溝部ＧＲを示す図である。詳述すると、図１３は、溝部ＧＲを背面側上方から見た斜視図であり、図１４は、当該溝部ＧＲを背面側から見た図である。
上記リブ３２１〜３２５のうち、互いに接続されるリブ３２１〜３２４と固定部３２０とには、図１３及び図１４に示すように、溝部ＧＲが形成されている。詳述すると、上記固定部３２０と、当該固定部３２０と接続されて側面部３２Ｒの背面側端部に至るリブ３２１〜３２４との各上面には、フロント部３１からの側面部３２Ｒの延出方向に沿う溝部ＧＲが、内面３２Ａと当該溝部ＧＲの内面が接続されるように形成されている。すなわち、溝部ＧＲは、側面部３２Ｒにおけるフロント部３１側の端部から当該フロント部３１側とは反対側の端部までの略全域に亘って形成されている。なお、溝部ＧＲの前方側の基端部は、固定部３２０の突出部３２０２近傍の位置である。
【００４６】
上記内面３２Ａの略中央には、図１１及び図１２に示すように、基板ホルダー６Ｒが有する鉤状部６１３（図１６）によって係止される係合部３２６が突設されている。また、フロント部３１の右側端部３１Ｒにおける内面には、同じく基板ホルダー６Ｒが有する鉤状部６４（図１６）によって係止される係合部３１２が突設されている。
なお、図示を省略するが、側面部３２Ｒと鏡面対称構造を有する側面部３２Ｌも、上記固定部３２０、リブ３２１〜３２５及び係合部３２６を有し、左側端部３１Ｌにおける内面には、係合部３１２と同様の係合部が突設されている。
【００４７】
［ケース部材の構成］
側面部３２Ｒと組み合わされて収容部ＨＰＲを構成するケース部材４Ｒは、図７及び図８に示したように、上部ケース５Ｒ、基板ホルダー６Ｒ及び下部ケース７Ｒを有する。これらのうち、上部ケース５Ｒ及び下部ケース７Ｒは、本発明の外部ケースを構成する。
また、側面部３２Ｌと組み合わされて収容部ＨＰＬを構成するケース部材４Ｌも、上部ケース５Ｒ、基板ホルダー６Ｒ及び下部ケース７Ｒとそれぞれ鏡面対称構造を有する上部ケース５Ｌ、基板ホルダー（図示省略）及び下部ケース７Ｌを有する。そして、上記と同様に、上部ケース５Ｌ及び下部ケース７Ｌは、本発明の外部ケースを構成する。
【００４８】
［上部ケースの構成］
図１５は、上部ケース５Ｒを側面部３２Ｒ側で下方から見た斜視図である。
上部ケース５Ｒは、画像投射部９１を上方から覆う部材である。この上部ケース５Ｒは、図１５に示すように、側面部３２Ｒと接続される上面部５１と、当該上面部５１におけるユーザー側の端部から垂下して側面部３２Ｒと対向する側面部５２と、これら上面部５１及び側面部５２に交差する背面部５３と、を有する。
【００４９】
上面部５１は、側面部５２側とは反対側の端縁に、当該端縁に沿って下方に突出した突出部５１１を有する。また、上面部５１は、当該端縁における背面側の部位に、突出部５１１より更に下方に突出した突出部５１２を有する。これらのうち、突出部５１１の先端面は、上部ケース５Ｒが側面部３２Ｒと組み合わされる際に、上記固定部３２０及びリブ３２１のそれぞれに形成された溝部ＧＲ内に挿入されて、当該溝部ＧＲの底部に当接する。また、突出部５１２は、上記リブ３２３，３２２に形成された溝部ＧＲ内に挿入されて、当該突出部５１２における正面側の端縁５１３及び下方側の端縁５１４は、これらリブ３２３，３２２に形成された溝部ＧＲの底部に当接する。すなわち、これら突出部５１１，５１２は、下方に一体となって突出した突条であり、固定部３２０及びリブ３２１〜３２４に形成された溝部ＧＲに挿入され、当該溝部ＧＲの底部に当接される。なお、上下方向に沿う端縁５１３は、溝部ＧＲにおいて対向する部位の底面に当接されていなくてもよい。
【００５０】
上面部５１の内面（下方を向く内面）には、当該内面から突出するボス５１５が形成されており、当該ボス５１５には、ねじ孔５１６が形成されている。
上面部５１における前面側の端縁には、凹部５１７が形成されている。この凹部５１７には、上部ケース５Ｒがフレーム本体３と組み合わされる際に、上記固定部３２０の突出部３２０２が嵌まり込み、これにより、上部ケース５Ｒが位置決めされる。
【００５１】
側面部５２は、鉤状部５２１、突出部５２２，５２３及び孔部５２４を有する。
鉤状部５２１は、側面部５２の内面５２Ａ（側面部３２Ｒと対向する内面５２Ａ）に、下方を向くように形成されている。この鉤状部５２１は、基板ホルダー６Ｒと係合する。
突出部５２２は、側面部５２の前面側下端部から前面側に突出して形成されている。
突出部５２３は、当該突出部５２２の先端部から側面部３２Ｒ側に突出している。この突出部５２３は、下部ケース７Ｒと組み合わされる部位である。
孔部５２４は、当該突出部５２３に形成されており、下部ケース７Ｒを挿通して基板ホルダー６Ｒに螺合するねじが下方から挿通する。
このような側面部５２の下端部５２５は、上部ケース５Ｒが下部ケース７Ｒと組み合わされた際位に、当該下部ケース７Ｒの外側段差部７３の上面７３Ａ（図１８）に当接する。
【００５２】
背面部５３は、上部ケース５Ｒが側面部３２Ｒと組み合わされた際に、上記リブ３２４，３２５に対して背面側に位置する。この背面部５３は、略中央に凹部５３１を有する他、当該凹部５３１を上下に挟む位置に、２つの孔部５３２，５３３を有する。
凹部５３１は、側面部３２Ｒのリブ３２４，３２５と接続された支持部３５Ｒを外部に露出させるための凹部であり、後述する開口部ＨＰＲ１を構成する。
孔部５３２，５３３のうち、上方に位置する孔部５３２は、上記ケース固定部３２４１に固定されるねじが挿通する孔部であり、当該ねじがケース固定部３２４１に固定されることにより、上部ケース５Ｒが側面部３２Ｒに固定される。
下方に位置する孔部５３３は、上記ケース固定部３２５１に固定されるねじが挿通する孔部であり、当該ねじは、孔部５３３の他、下部ケース７Ｒの孔部７８（図１６）を挿通する。
【００５３】
［基板ホルダーの構成］
図１６は、基板ホルダー６Ｒを背面側上方から見た斜視図であり、図１７は、当該基板ホルダー６Ｒを背面側下方から見た斜視図である。
基板ホルダー６Ｒは、本発明の内部ケースに相当し、鏡筒９５に固定されて当該鏡筒９５を下方から覆う部材である。この基板ホルダー６Ｒは、図１６及び図１７に示すように、右側の端縁が側面部３２Ｒに沿い、左側及び背面側の端縁が上部ケース５Ｒにおける左側及び背面側の端縁に沿い、周縁が上方に起立した枠状に形成されている。この基板ホルダー６Ｒにおける幅寸法（幅方向である＋Ｘ方向の寸法）は、上記上部ケース５Ｒにおける同方向の幅寸法より小さくなっており、当該基板ホルダー６Ｒは、上部ケース５Ｒと側面部３２Ｒとにより囲まれる空間内に配置される。
このような基板ホルダー６Ｒは、固定部６１、開口部６２，６３、鉤状部６４、ねじ孔６５、凹部６６、突出部６７、孔部６８及び下端部６９を有する。
【００５４】
固定部６１は、基板ホルダー６Ｒの略中央に平板状に形成され、上面６１Ａ側にて上記鏡筒９５に固定される他、下面６１Ｂ側に制御部９６が配置される部位である。この上面６１Ａの略中央には、孔部６１２を有するボス６１１が上方に向けて突設されている。この孔部６１２を下方から挿通したねじが、上記鏡筒９５の固定部９５２に固定されることにより、鏡筒９５に基板ホルダー６Ｒが固定される。
また、上面６１Ａには、位置決め部としての鉤状部６１３が突設されている。この鉤状部６１３は、フレーム本体３の上記係合部３２６を係止する。
【００５５】
開口部６２は、固定部６１に対して前面側に位置する。この開口部６２には、固定部６１の下方に配置された制御部９６に接続される上記信号線、及び、撮像装置８から延出する信号線を含むフレキシブルプリント基板ＦＰＣ（図２０）が挿通される。
開口部６３は、固定部６１に対して背面側に位置する。この開口部６３には、上記鏡筒９５と一体化された画像形成装置９２から延出して制御部９６と接続される信号線（図示省略）が挿通される。
【００５６】
鉤状部６４は、本発明の位置決め部に相当し、基板ホルダー６Ｒにおける前面側端部に位置する。この鉤状部６４は、上記係合部３１２（図１１及び図１２）を係止する。
ねじ孔６５は、当該鉤状部６４近傍に形成されている。このねじ孔６５には、下部ケース７Ｒの孔部７６（図１８）及び上部ケース５Ｒの孔部５２４（図１５）を下方から挿通したねじが固定される。
凹部６６は、当該ねじ孔６５が形成された部位の下面側に形成されている。この凹部６６には、上部ケース５Ｒの突出部５２３（図１５）が嵌まり込む。
【００５７】
突出部６７は、基板ホルダー６Ｒにおける背面側に位置し、基板ホルダー６Ｒの周縁に形成された起立部より上方に突出している。この突出部６７は、基板ホルダー６Ｒが側面部３２Ｒと組み合わされる際に、上記リブ３２２の下面（図１１〜図１３）と当接する。
孔部６８は、突出部６７に形成されている。この孔部６８には、上記ケース固定部３２２１（図１１及び図１２）を挿通して上部ケース５Ｒのねじ孔５１６（図１５）に固定されるねじが下方から挿通する。
下端部６９は、本発明の第１リブに相当する。この下端部６９は、基板ホルダー６Ｒの周縁より僅かに内側の部位から下方に突出し、図８に示すように、上記固定部６１の下方に配置される制御部９６の周囲（±Ｘ方向及び±Ｚ方向の周囲）を囲む。この下端部６９は、制御部９６が配置される下面６１Ｂより更に下方に位置しており、当該下端部６９の先端面６９Ａ（下端部６９において下方を向く面）は、下部ケース７Ｒにおいて後述する内側段差部７２（図１８）の上面７２Ａに当接する。
【００５８】
［下部ケースの構成］
図１８は、下部ケース７Ｒを背面側上方から見た斜視図であり、図１９は、下部ケース７Ｒを上方から見た平面図である。
下部ケース７Ｒは、基板ホルダー６Ｒを下方から覆うとともに、上部ケース５Ｒ及び側面部３２Ｒと組み合わされて収容部ＨＰＲの外装を構成する部材である。
下部ケース７Ｒは、図１８及び図１９に示すように、基板ホルダー６Ｒの外形形状と同様に、右側の端縁が側面部３２Ｒに沿い、左側及び背面側の端縁が上部ケース５Ｒにおける左側及び背面側の端縁に沿う形状に形成されている。この他、下部ケース７Ｒにおける背面側の端部は、上方に向かって傾斜している。
このような下部ケース７Ｒは、起立部７１、内側段差部７２、外側段差部７３、切欠７４、平坦部７５、孔部７６、起立部７７及び孔部７８を有する。
【００５９】
起立部７１は、下部ケース７Ｒの底面７Ａ（基板ホルダー６Ｒに対向する対向面）における周縁から上方に起立している。この起立部７１は、上記基板ホルダー６Ｒを上方から見た外縁形状と略一致する外縁形状に形成されている。なお、当該下部ケース７Ｒが側面部３２Ｒと係合した際、下部ケース７Ｒにおいて右側（＋Ｘ方向側）の起立部７１における外側の側面は、当該側面部３２Ｒの内面３２Ａにおける下端部と当接する。
内側段差部７２は、起立部７１の内側に、上面７２Ａが当該起立部７１の上端より下側で、かつ、下部ケース７Ｒの底面７Ａ（上側を向く面）より上側に位置するように形成されている。この上面７２Ａ（当接面）には、基板ホルダー６Ｒの下端部６９（図１６及び図１７）の先端面６９Ａが当接し、これにより、基板ホルダー６Ｒにおける固定部６１の下面６１Ｂと、下部ケース７Ｒの底面７Ａとの間に、上記制御部９６が配置される配置空間が形成される。すなわち、基板ホルダー６Ｒの下端部６９は、起立部７１内に収容され、これにより、当該制御部９６の上記周囲が囲まれるだけでなく、当該制御部９６が固定部６１（図１６及び図１７）により上方から覆われ、底面７Ａにより下方から覆われる。
【００６０】
外側段差部７３は、下部ケース７Ｒにおける左側の起立部７１の外側に、上面７３Ａが当該起立部７１の上端より下側で、かつ、下部ケース７Ｒの下面７Ｂ（下側を向く面）より上側に位置するように形成されている。この上面７３Ａには、上部ケース５Ｒにおける側面部５２の下端部５２５（図１５）が当接する。これにより、下部ケース７Ｒと、上部ケース５Ｒとの繋ぎ目を目立たなくすることができる他、これらの間に隙間が生じることを抑制できる。
【００６１】
切欠７４は、下部ケース７Ｒにおける前面側端部に、起立部７１の一部を切り欠いて形成されている。
平坦部７５は、当該切欠７４に対する下部ケース７Ｒの内側に位置する。この平坦部７５と基板ホルダー６Ｒの凹部６６（図１７）との間には、切欠７４を介して挿入された上部ケース５Ｒの突出部５２３（図１５）が配置される。
孔部７６は、平坦部７５に形成されており、当該孔部７６を下方から挿通したねじは、突出部５２３に形成された孔部５２４を挿通して、基板ホルダー６Ｒに形成されたねじ孔６５（図１７）に固定される。これにより、前面側にて、上部ケース５Ｒ、基板ホルダー６Ｒ及び下部ケース７Ｒが固定される。
【００６２】
起立部７７は、下部ケース７Ｒの背面側端部から上方に起立している。
孔部７８は、当該起立部７７に形成されている。この孔部７８には、上部ケース５Ｒの孔部５３３（図１５）を挿通したねじが挿通し、当該ねじは、上記リブ３２５に位置するケース固定部３２５１（図１１〜図１４）に固定される。
【００６３】
［フレーム本体に対する画像投射部、制御部及びケース部材の取付］
図２０は、光学装置９Ｒが有する画像投射部９１及び制御部９６と、ケース部材４Ｒとのフレーム本体３に対する取付工程を説明する図である。
上記したフレーム本体３に光学装置９Ｒの画像投射部９１及び制御部９６と、ケース部材４Ｒとを取り付ける場合には、図２０に示すように、まず、側面部３２Ｒの固定部３２０の孔部３２０１を上方から挿通したねじを鏡筒９５の固定部９５１に固定する。これにより、当該固定部３２０に画像投射部９１が固定される。
【００６４】
次に、画像投射部９１（鏡筒９５）に対して下側から基板ホルダー６Ｒを固定する。具体的に、位置決め部としての鉤状部６１３，６４がフレーム本体３の係合部３２６，３１２を係止するように基板ホルダー６Ｒをフレーム本体３に取り付ける。この状態では、突出部６７の上端がリブ３２２の下面に当接する。このような状態で、孔部６１２に下方から挿入したねじを鏡筒９５の固定部９５２に固定する。これにより、画像投射部９１を下方から覆うように当該画像投射部９１に基板ホルダー６Ｒが固定されるともに、フレーム本体３に対して基板ホルダー６Ｒが仮固定（位置決め）される。
【００６５】
この後、基板ホルダー６Ｒにおける固定部６１の下面６１Ｂに制御部９６を配置する。この際、開口部６２を挿通したフレキシブルプリント基板ＦＰＣを当該制御部９６に接続するともに、開口部６３を挿通した画像形成装置９２の信号線（図示省略）を制御部９６に接続する。
【００６６】
そして、画像投射部９１を上側から覆うように、上部ケース５Ｒを取り付けるとともに、基板ホルダー６Ｒを下側から覆うように、下部ケース７Ｒを取り付け、これら上部ケース５Ｒ及び下部ケース７Ｒを互いに組み合わせる他、側面部３２Ｒに固定する。
この際、上部ケース５Ｒの突出部５１１，５１２が、側面部３２Ｒの固定部３２０及びリブ３２１〜３２３に形成された溝部ＧＲの底部に当接するように、当該上部ケース５Ｒをユーザー側から側面部３２Ｒに組み合わせる。これにより、凹部５３１内に支持部３５Ｒの基端部（リブ３２４との接続部分）が位置し、また、基板ホルダー６Ｒの凹部６６内に突出部５２３が位置することとなる。
【００６７】
この状態で、基板ホルダー６Ｒの孔部６８とケース固定部３２２１（図１１〜図１３）とに下方からねじを挿通し、当該ねじを上部ケース５Ｒのねじ孔５１６（図１５）に固定する。これにより、背面側にて、側面部３２Ｒと上部ケース５Ｒ及び基板ホルダー６Ｒとが固定される。
また、上部ケース５Ｒの孔部５３２に挿入したねじを、リブ３２４のケース固定部３２４１に固定することにより、側面部３２Ｒに上部ケース５Ｒが固定される。
【００６８】
一方、下部ケース７Ｒの内側段差部７２の上面７２Ａを基板ホルダー６Ｒの下端部６９の先端面６９Ａに当接させるとともに、上部ケース５Ｒの下端部５２５の下端縁を外側段差部７３の上面７３Ａに当接させるようにして、下部ケース７Ｒを、上部ケース５Ｒ、基板ホルダー６Ｒ及び側面部３２Ｒに組み合わせる。
この状態で、下部ケース７Ｒの孔部７６に下方からねじを挿入し、当該ねじを、上部ケース５Ｒの孔部５２４に挿通させた後に、基板ホルダー６Ｒのねじ孔６５に固定することにより、フレーム本体３の前面側にて、上部ケース５Ｒ、基板ホルダー６Ｒ及び下部ケース７Ｒを一体化する。
また、上部ケース５Ｒの孔部５３３にねじを挿入し、当該ねじを、下部ケース７Ｒの孔部７８に挿通させた後に、リブ３２５のケース固定部３２５１に固定する。これにより、背面側にて、上部ケース５Ｒ及び下部ケース７Ｒが側面部３２Ｒに固定される。
【００６９】
このような工程により、フレーム本体３に光学装置９Ｒの画像投射部９１及び制御部９６と、ケース部材４Ｒとを取り付けることができる。
なお、フレーム本体３に光学装置９Ｌの画像投射部９１及び制御部９６と、ケース部材４Ｌとを取り付ける場合も同様の工程により実施可能である。
【００７０】
［収容部の排水構造］
図２１は、収容部ＨＰＲを背面側から見た図である。
ケース部材４Ｒと組み合わされて収容部ＨＰＲを構成する側面部３２Ｒの内面３２Ａには、上記のように、固定部３２０及びリブ３２１〜３２５が形成されている。これらのうち、固定部３２０及びリブ３２１〜３２４の上面には、当該ケース部材４Ｒを構成する上部ケース５Ｒの突出部５１１，５１２が挿入される溝部ＧＲが形成されている。すなわち、側面部３２Ｒと上部ケース５Ｒとの繋ぎ目の位置には、フロント部３１（右側端部３１Ｒ）からの側面部３２Ｒの延出方向に沿う溝部ＧＲが、側面部３２Ｒの当該延出方向の略全域に亘って形成されている。この溝部ＧＲの終端は、図２１に示すように、上部ケース５Ｒの凹部５３１と側面部３２Ｒとによって囲まれる開口部ＨＰＲ１を介して収容部ＨＰＲ外と連通している。
【００７１】
このため、例えば、上記繋ぎ目から雨や汗等の液体が収容部ＨＰＲ内に侵入した場合、当該液体は、溝部ＧＲに沿って収容部ＨＰＲの背面側に導かれる。そして、当該液体は、開口部ＨＰＲ１から収容部ＨＰＲ外に排出される。
これにより、上記繋ぎ目から侵入した液体が、収容部ＨＰＲ内に留まり、画像投射部９１や制御部９６に付着することが抑制される。
なお、収容部ＨＰＬにおいても同様である。
【００７２】
［画像投射部及び制御部の保護構造］
図２２は、収容部ＨＰＲの＋Ｚ方向における略中央部分でのＸＹ平面に沿う断面図である。
収容部ＨＰＲ内には、画像投射部９１の保護構造、及び、制御部９６の保護構造が、側面部３２Ｒ及びケース部材４Ｒによって構成されている。
これらのうち、画像投射部９１の保護構造は、図２２に示すように、画像投射部９１に対して右側に位置する側面部３２Ｒと、前側に位置するフロント部３１と、上側、左側及び後側（背面側）に位置する上部ケース５Ｒと、下側に位置する基板ホルダー６Ｒ及び下部ケース７Ｒによって構成される。これら構成によって囲まれることにより、画像投射部９１が保護される。
【００７３】
一方、制御部９６の保護構造は、側面部３２Ｒ及びケース部材４Ｒによって主に構成される。具体的に、制御部９６の上方及び側方は、基板ホルダー６Ｒの固定部６１及び下端部６９によって覆われ、当該制御部９６の下方は、基板ホルダー６Ｒの下端部６９が内側段差部７２に面接触される下部ケース７Ｒによって覆われる。更に、上部ケース５Ｒが、基板ホルダー６Ｒ及び下部ケース７Ｒの上方を覆うとともに左方に当接し、側面部３２Ｒが、基板ホルダー６Ｒ及び下部ケース７Ｒの右方に当接するとともに後方を覆い、更に、フロント部３１が、基板ホルダー６Ｒ及び下部ケース７Ｒの前方を覆う。これにより、制御部９６は下方を除いて二重に囲まれることとなり、制御部９６は保護される。
なお、収容部ＨＰＬにおいても同様である。
【００７４】
［導光部材周囲の構造］
図２３は、ＨＭＤ１を背面側下方から見た斜視図である。換言すると、図２３は、収容部ＨＰＲの挿通部ＨＰＲ２の位置を示す図である。なお、図２３では、テンプルＴＭＲ，ＴＭＬの図示を省略している。
上記導光部材９７Ｒは、収容部ＨＰＲに配置された画像投射部９１から投射された画像を入射させるため、右側の端部が収容部ＨＰＲ内に配置される。このため、上部ケース５Ｒが側面部３２Ｒに組み合わされた際には、図２３に示すように、フロント部３１と、上部ケース５Ｒにおける前面側に形成された略Ｌ字状の部位とにより、当該右側の端部が挿通される開口部である挿通部ＨＰＲ２が形成される。
【００７５】
図２４は、導光部材９７Ｒの右側の端部の周囲に設けられた防水部材３４を示す斜視図である。
このような挿通部ＨＰＲ２内には、図２４に示すように、導光部材９７Ｒにおける当該右側の端部の周囲に設けられた防水部材３４が配置される。
この防水部材３４は、ゴムや通水性のないクッション等の弾性を有する材料により当該端部を囲む枠状に形成されている。そして、当該防水部材３４は、当該端部と挿通部ＨＰＲ２の内縁との間に、上記液体が収容部ＨＰＲ内に侵入する隙間が生じることを抑制する。これにより、収容部ＨＰＲ内に、当該液体が侵入することを抑制できる。
なお、図２及び図４に示すように、収容部ＨＰＬも同様の挿通部ＨＰＬ２を有し、当該挿通部ＨＰＬ２内には、導光部材９７Ｌにおける左側の端部を囲む枠状の防水部材３４が配置されている。
【００７６】
［実施形態の効果］
以上説明した本実施形態に係るＨＭＤ１によれば、以下の効果を奏することができる。
フレーム２に取り付けられたケース部材４Ｒに収容される画像投射部９１及び制御部９６のうち、制御部９６は、画像投射部９１に対する下側に位置する。この制御部９６は、画像投射部９１と制御部９６との間に位置する基板ホルダー６Ｒにおいて第１リブとしての下端部６９によって周囲が囲まれ、更に、上部ケース５Ｒ及び下部ケース７Ｒによって覆われる。
これによれば、外部の液体が侵入して当該液体が画像投射部９１及び制御部９６に付着することを、上部ケース５Ｒ及び下部ケース７Ｒによって抑制できる。更に、制御部９６は、基板ホルダー６Ｒの固定部６１によって上方が覆われる他、当該基板ホルダー６Ｒの下端部６９によって周囲が囲まれる。このことから、ケース部材４Ｒ内に当該液体が侵入しても、制御部９６に当該液体が付着することを確実に抑制できる。
従って、液体が侵入する可能性がある隙間を、接着剤等の充填材を用いて埋める必要がないので、組立作業が複雑化することなくＨＭＤ１の防水構造を構成できる。
収容部ＨＰＲ及び光学装置９Ｒと同様の構成を有する収容部ＨＰＬ及び光学装置９Ｌによっても同様の効果を奏することができる。
【００７７】
画像投射部９１は、画像を形成する画像形成装置９２と、投射光学装置９３と、を有し、当該投射光学装置９３は、画像形成装置９２によって形成された画像を投射するレンズ９４と、当該レンズ９４を収容する鏡筒９５と、を有する。これによれば、画像投射部９１が、供給される画像情報（画像信号）に応じた画像を形成して、表示部としての導光部材９７Ｒ，９７Ｌに確実に投射できる。従って、当該画像情報を外部から供給することにより、ユーザーは、所望の画像を視認できる。
【００７８】
フレーム本体３は、表示部としての導光部材９７Ｒ，９７Ｌを支持するフロント部３１と、当該フロント部３１（右側端部３１Ｒ及び左側端部３１Ｌ）から背面側に延出してユーザーの側方に位置する側面部３２Ｒ，３２Ｌと、を有する。これらのうち、側面部３２Ｒは、フロント部３１からの側面部３２Ｒの延出方向に沿う第２リブとしてのリブ３２１〜３２５を有し、リブ３２１〜３２４と固定部３２０とは、上面に当該延出方向に沿う溝部ＧＲを有する。そして、側面部３２Ｒと組み合わされる上部ケース５Ｒは、当該溝部ＧＲ内に挿入される突出部５１１，５１２を有する。
これによれば、側面部３２Ｒと上部ケース５Ｒとの隙間に液体が侵入した場合、当該液体を溝部ＧＲによってリブ３２４側（背面側）に導くことができる。このため、画像投射部９１や制御部９６から当該液体を遠ざけることができる。従って、これらに液体が付着することを抑制でき、これらの防水を図ることができる。
側面部３２Ｌの固定部３２０及びリブ３２１〜３２４に形成された溝部ＧＲ、及び、当該溝部ＧＲに挿入されて底部に当接される上部ケース５Ｌの突出部５１１，５１２によっても上記と同様の効果を奏することができる。
【００７９】
溝部ＧＲは、側面部３２Ｒにおいてフロント部３１側の端部に位置する固定部３２０から、当該側面部３２Ｒにおいてフロント部３１側とは反対側の端部まで形成されている。そして、上部ケース５Ｒと側面部３２Ｒとが組み合わされて形成される開口部ＨＰＲ１は、当該反対側の端部（収容部ＨＰＲにおける背面側の端部）に位置する。これによれば、側面部３２Ｒと上部ケース５Ｒとの間から溝部ＧＲに侵入した液体を、当該溝部ＧＲに沿って背面側に導くことができ、当該開口部ＨＰＲ１から収容部ＨＰＲの外部に排出できる。従って、画像投射部９１及び制御部９６に当該液体が付着することを確実に抑制でき、ＨＭＤ１の防水構造を確実に構成できる。
収容部ＨＰＲと同様の構成を有する収容部ＨＰＬも、開口部ＨＰＲ１と同様の開口部ＨＰＬ１（図１８）を有し、これにより、上記と同様の効果を奏することができる。
【００８０】
溝部ＧＲの底部に当接する突出部５１１，５１２は、上部ケース５Ｒが有し、当該上部ケース５Ｒは、下部ケース７Ｒとともに外部ケースを構成する。これによれば、上部ケース５Ｒ及び下部ケース７Ｒが一体化された外部ケースをフレーム本体３に取り付ける場合に比べて、上記溝部ＧＲに挿入される突出部５１１，５１２を有する外部ケースをフレーム本体３に取り付けやすくすることができる。
【００８１】
内部ケースとしての基板ホルダー６Ｒの幅寸法は、上部ケース５Ｒの幅寸法より小さい。これによれば、上部ケース５Ｒによって基板ホルダー６Ｒを上方から確実に覆うことができる。従って、上部ケース５Ｒの上側から雨等の液体や衝撃から基板ホルダー６Ｒを確実に保護でき、ひいては、制御部９６を保護できる。
ケース部材４Ｌ及び側面部３２Ｌを備えて構成される収容部ＨＰＬにおいても上記と同様の効果を奏することができる。
【００８２】
側面部３２Ｒは、内面３２Ａにおいて基板ホルダー６Ｒ側に突出する係合部３２６を有し、右側端部３１Ｒは、内面において基板ホルダー６Ｒ側に突出する係合部３１２を有する。そして、基板ホルダー６Ｒは、当該係合部３２６，３１２と係合する位置決め部としての鉤状部６１３，６４を有する。これによれば、フレーム本体３に基板ホルダー６Ｒを位置決めできる。これにより、基板ホルダー６Ｒを上方及び下方から覆うようにして取り付けられる上部ケース５Ｒ及び下部ケース７Ｒの取付を容易に実施できる。
側面部３２Ｌ及び左側端部３１Ｌとケース部材４Ｌを構成する基板ホルダーとによっても、上記と同様の効果を奏することができる。
【００８３】
外部ケースを構成する上部ケース５Ｒ及び下部ケース７Ｒのうち、下部ケース７Ｒは、第１リブとしての下端部６９の先端面６９Ａと当接する当接面としての上面７２Ａを有する内側段差部７２が形成されている。これによれば、下端部６９及び下部ケース７Ｒによって形成されて制御部９６が配置される空間内に液体が侵入することを抑制できる。従って、制御部９６の防水を図ることができる。
ケース部材４Ｒと同様の構成を有するケース部材４Ｌによっても同様の効果を奏することができる。
【００８４】
下部ケース７Ｒは、対向面としての底面７Ａの周縁に沿って起立する起立部７１と、当該起立部７１の内側に位置し、当該起立部７１の先端面より低く底面７Ａより高い位置に形成された内側段差部７２と、を有する。この内側段差部７２の上面７２Ａには、基板ホルダー６Ｒの下端部６９の先端面６９Ａが当接し、当該下端部６９の外側側面は、起立部７１の内側側面に当接する。これによれば、内側段差部７２に当接する下端部６９により周縁が囲まれる制御部９６の配置空間内に、下端部６９と起立部７１との間から液体が侵入することを抑制できる。従って、制御部９６に液体が付着することを一層確実に抑制できる。
下部ケース７Ｒと同様の構成を有する下部ケース７Ｌによっても上記と同様の効果を奏することができる。
【００８５】
下部ケース７Ｒは、基板ホルダー６Ｒに対向する底面７Ａの周縁に沿って起立する起立部７１と、当該起立部７１の外側に位置し、起立部７１の先端面より低く、下部ケース７Ｒの下面７Ｂより高い位置に形成された外側段差部７３を有する。この外側段差部７３に、上部ケース５Ｒの下端縁は当接する。これによれば、下部ケース７Ｒと上部ケース５Ｒとの間に、液体が侵入する隙間が形成されることを抑制できる。従って、下部ケース７Ｒ内に液体が侵入することを抑制でき、当該下部ケース７Ｒによって下方が覆われる制御部９６に当該液体が付着することを確実に抑制できる。
下部ケース７Ｌにおいても上記と同様の効果を奏することができる。
【００８６】
フレーム本体３とケース部材４Ｒとが組み合わされることにより、表示部としての導光部材９７Ｒの一端が挿通される挿通部ＨＰＲ２が形成される。この挿通部ＨＰＲ２の内部には、当該導光部材９７Ｒの右側端部を囲む防水部材３４が設けられている。これによれば、当該挿通部ＨＰＬ２の内縁と導光部材９７Ｒとの間に、液体が侵入する隙間が形成されることを抑制できる。従って、当該隙間から収容部ＨＰＲ内に液体が侵入することを抑制でき、当該収容部ＨＰＲに収容される画像投射部９１及び制御部９６に当該液体が付着することを確実に抑制できる。
収容部ＨＰＬにおいても上記と同様の効果を奏することができる。
【００８７】
［実施形態の変形］
本発明は、上記実施形態に限定されるものではなく、本発明の目的を達成できる範囲での変形、改良等は本発明に含まれるものである。
上記ＨＭＤ１は、上記排水構造及び上記保護構造をそれぞれ有するとした。しかしながら、これに限らず、いずれか一方のみを有するＨＭＤとしてもよい。すなわち、上記排水構造があれば、画像投射部９１及び制御部９６が収容される収容部内に液体が侵入することを抑制できるので、上記保護構造がなくても、これら画像投射部９１及び制御部９６を液体から保護できる。また、上記保護構造があれば、制御部９６が配置される空間内に液体の侵入を抑制できるので、上記排水構造がなくても、当該空間内の構成を液体から保護できる。
【００８８】
上記固定部３２０及びリブ３２１〜３２５は、側面部３２Ｒにおける前面側から背面側にかけての略全域に亘って形成され、これらのうち、固定部３２０及びリブ３２１〜３２４には、溝部ＧＲが形成されているとした。しかしながら、これに限らず、例えば、溝部を伝った液体を収容部外に排出できれば、リブ及び溝部は分断されていてもよい。更に、リブは直線状又は曲線状に延出していてもよく、上記延出方向に対して上方又は下方に傾斜していてもよい。この構成によれば、傾斜した溝部に沿って液体を流れやすくすることができるので、ＨＭＤの通常使用時に液体を外部に排出しやすくすることができる。側面部３２Ｌにおいても同様である。
また、溝部ＧＲの底部には、上部ケース５Ｒの突出部５１１，５１２が当接するとした。しかしながら、これに限らず、上部ケース５Ｒの端部が溝部ＧＲの上方において側面部３２Ｒと当接すれば、必ずしも突出部５１１，５１２はなくてもよく、溝部ＧＲの底部に当接しなくてもよい。なお、溝部ＧＲに突出部５１１，５１２が挿入される状態であれば、上部ケース５Ｒと側面部３２Ｒとの隙間から侵入した液体を、溝部ＧＲに導きやすくすることができる。側面部３２Ｌ及び上部ケース５Ｌにおいても同様である。
【００８９】
上記ＨＭＤ１では、上記排水構造における液体の流路の終端となる開口部ＨＰＲ１は、収容部ＨＰＲにおける背面側に位置するとした。しかしながら、これに限らず、例えば、当該開口部ＨＰＲ１は、収容部ＨＰＲにおけるユーザー側とは反対側の面に位置していてもよく、下方の面又は前方の面に位置していてもよい。すなわち、開口部ＨＰＲ１の位置は問わない。収容部ＨＰＬにおいても同様である。
【００９０】
上記ＨＭＤ１では、フレーム本体３と組み合わされて収容部ＨＰＲを構成するケース部材４Ｒは、内部ケースとしての基板ホルダー６Ｒと、外部ケースをそれぞれ構成する上部ケース５Ｒ及び下部ケース７Ｒと、を有するとした。しかしながら、これに限らず、当該外部ケースは一体化されていてもよい。また、これら各部材の構成も、上記に限らず、適宜変更可能である。ケース部材４Ｌにおいても同様である。
【００９１】
上記ＨＭＤ１では、基板ホルダー６Ｒの幅寸法は、上部ケース５Ｒの幅寸法より小さいとした。しかしながら、これに限らず、上部ケース５Ｒと組み合わされた下部ケース７Ｒによって基板ホルダー６Ｒの側方（左方）が覆われる場合には、上部ケース５Ｒの幅寸法より基板ホルダー６Ｒの幅寸法が大きくてもよい。すなわち、外部ケースの幅寸法より基板ホルダー６Ｒの幅寸法が小さければ、上記と同様の効果を奏することができる。ケース部材４Ｌにおいても同様である。
【００９２】
上記ＨＭＤ１では、側面部３２Ｒの内面３２Ａには、内部ケースとしての基板ホルダー６Ｒの位置決め部としての鉤状部６１３，６４によって係止される係合部３２６，３１２が突設されているとした。しかしながら、これに限らず、突出部及び位置決め部の数は適宜変更可能であり、外部ケース内に内部ケースを保持できれば、当該内部ケースは、側面部と係合しなくてもよい。すなわち、突出部及び位置決め部はなくてもよい。側面部３２Ｌ及びケース部材４Ｌにおいても同様である。
【００９３】
上記ＨＭＤ１では、下部ケース７Ｒは、起立部７１の内側に位置し、かつ、基板ホルダー６Ｒの下端部６９の先端面６９Ａが当接する上面７２Ａを有する内側段差部７２を備えるとした。しかしながら、これに限らず、先端面６９Ａは、底面７Ａに直接当接する構成としてもよい。
また、下部ケース７Ｒは、上部ケース５Ｒの側面部５２における下端部が当接される上面７３Ａを有する外側段差部７３を備えるとした。しかしながら、これに限らず、側面部５２が下部ケース７Ｒの側方（左方）を覆う構成であれば、外側段差部７３はなくてもよい。
これらは、下部ケース７Ｌを有するケース部材４Ｌにおいても同様である。
【００９４】
上記ＨＭＤ１では、挿通部ＨＰＲ２内に配置され、導光部材９７Ｒを囲む防水部材３４を有するとした。しかしながら、これに限らず、挿通部ＨＰＲ２と導光部材９７Ｒとの間からの液体の侵入を抑制できれば、防水部材３４はなくてもよく、導光部材９７Ｒを囲む枠状でなくてもよい。また、導光部材９７Ｒの端部が収容部ＨＰＲ内に位置しない場合も、防水部材３４はなくてもよく、表示部として他の構成を有する表示部が採用される場合も、必ずしも防水部材３４はなくてもよい。導光部材９７Ｌを囲む防水部材３４についても同様である。
【００９５】
上記ＨＭＤ１では、下部ケース７Ｒは、平坦部７５に上部ケース５Ｒの突出部５２３を配置させるための切欠７４を有するとした。しかしながら、これに限らず、切欠７４が無いように、起立部７１を下部ケース７Ｒの周縁に沿って一周（略一周を含む）させてもよい。この場合、内側段差部７２も同様に下部ケース７Ｒの周縁に沿って一周（略一周を含む）させてもよい。このように構成すれば、上部ケース５Ｒ及び下部ケース７Ｒを備えて構成される外部ケースの側方からの液体の侵入を一層確実に抑制できる。更に、外部ケース内に侵入した液体を外部に排出する排水口を、当該外部ケースに更に設けてもよく、外部ケース内に液体排水用の壁や、防水用の壁を更に設けてもよい。また、上部ケース５Ｒが下部ケース７Ｒの外側段差部７３に当接する構成とはせずに、上部ケース５Ｒが下部ケース７Ｒを上側から覆い、当該上部ケース５Ｒの内面（例えば内面５２Ａ）と下部ケース７Ｒの外面との隙間を介して、外部ケース内に侵入した液体を排出させる構成としてもよい。ケース部材４Ｌにおいても同様である。
【００９６】
上記ＨＭＤ１では、表示部として、収容部ＨＰＲ，ＨＰＬに収容された画像投射部９１から投射された画像光をユーザーの眼に導く導光部材９７Ｒ，９７Ｌを採用した。しかしながら、これに限らず、当該表示部は、液晶パネルや有機ＥＬパネル等の表示パネルであってもよい。すなわち、クローズド型のＨＭＤに本発明を適用することも可能である他、ユーザーが視認可能に画像を表示できれば、当該画像の表示形式は問わない。また、導光部材９７Ｒ，９７Ｌに代えて、画像投射部９１によって投射された画像をユーザーの眼に反射させる反射部材を表示部として採用してもよい。
また、収容部ＨＰＲ，ＨＰＬ内に収容される部材は、画像投射部９１及び制御部９６でなくてもよく、これらのうち一方のみでもよい。更に、例えば表示部の動作に必要な制御回路や電源等、他の部材でもよい。
更に、ＨＭＤ１では、ユーザーの眼に応じて配置される導光部材９７Ｒ，９７Ｌを有する光学装置９Ｒ，９Ｌを、当該ユーザーの左眼及び右眼に応じて備える構成とした。しかしながら、これに限らず、光学装置９Ｒ，９Ｌのうち、いずれか一方のみを備えるＨＭＤを構成してもよい。
【００９７】
上記ＨＭＤ１では、撮像装置８は、フレーム本体３における右側端部３１Ｒに１つ設けられているとした。しかしながら、これに限らず、撮像装置８の位置及び数は、適宜変更可能である。例えば、撮像装置８は、左側端部３１Ｌに設けられていてもよく、左側端部３１Ｌ及び右側端部３１Ｒのそれぞれに設けられていてもよい。更に、撮像装置は、右側端部３１Ｒ及び左側端部３１Ｌのいずれでもなく、例えば、フレーム本体３の中央や、側面部３２Ｒ，３２Ｌ、或いは、ケース部材４Ｒ，４Ｌに少なくとも１つ設けられていてもよい。
【００９８】
上記ＨＭＤ１では、光学装置９Ｌ，９Ｒを構成する制御部９６は、画像投射部９１の動作、すなわち、画像形成装置９２による画像形成を制御するとした。しかしながら、これに限らず、例えば上記光学装置９Ｒを構成する制御部９６のように、撮像装置８の動作制御（発光部の点灯を含む）を実行してもよく、外部から供給される電力を用いてフレーム２に保持されたバッテリーの充電制御を実施してもよく、更には、他のＨＭＤ１等の画像表示装置や、画像供給装置等の電子機器との通信を制御してもよい。すなわち、収容部ＨＰＲ，ＨＰＬ内に収容される制御部９６が実行する処理は、他の処理でもよい。この場合、画像形成装置９２の動作を制御する制御装置が、別の場所に設けられていてもよい。
更に、制御部９６は、プリント基板に限らず、フレキシブルプリント基板であってもよく、演算処理回路等の回路素子を有する制御ユニットであってもよい。すなわち、所定の制御を実行するものであれば、本発明の制御部の構成は問わない。
【００９９】
上記実施形態では、フレーム本体３とケース部材４Ｒ，４Ｌとが組み合わされて構成され、内部に制御部９６が収容される収容部ＨＰＲ，ＨＰＬを、頭部装着型画像表示装置であるＨＭＤ１に適用した例を挙げた。しかしながら、これに限らず、例えば、フレーム本体３に上記撮像装置８が支持された他の電子機器（例えばカメラ）に、本発明の構成を適用してもよい。すなわち、ユーザーの頭部に装着して利用される電子機器に、上記構成の少なくとも一部を適用してもよい。
【符号の説明】
【０１００】
１…ＨＭＤ（頭部装着型画像表示装置）、２…フレーム、３…フレーム本体（フレーム部材）、３１…フロント部、３２Ｌ，３２Ｒ…側面部、３２１〜３２５…リブ（第２リブ）、３２６…係合部、３２Ａ…内面、３４…防水部材、４Ｌ，４Ｒ…ケース部材、５Ｌ，５Ｒ…上部ケース（外部ケース）、５１…上面部、５１１，５１２…突出部、５２…側面部、６Ｒ…基板ホルダー（内部ケース）、６１１…ボス、６１Ａ…上面、６１３，６４…鉤状部（位置決め部）、６９…下端部（第１リブ）、６９Ａ…先端面、７Ｌ，７Ｒ…下部ケース（外部ケース）、７Ａ…底面（対向面）、７Ｂ…下面、７１…起立部、７２…内側段差部、７２Ａ…上面（当接面）、７３…外側段差部、９１…画像投射部、９２…画像形成装置（画像形成部）、９４…レンズ、９５…鏡筒、９６…制御部、９７Ｌ，９７Ｒ…導光部材（表示部）、ＦＰＣ…フレキシブルプリント基板、ＧＲ…溝部、ＨＰＬ１，ＨＰＲ１…開口部、ＨＰＬ２，ＨＰＲ２…挿通部。
【図１】
0006686505.tif 000002
【図２】
0006686505.tif 000003
【図３】
0006686505.tif 000004
【図４】
0006686505.tif 000005
【図５】
0006686505.tif 000006
【図６】
0006686505.tif 000007
【図７】
0006686505.tif 000008
【図８】
0006686505.tif 000009
【図９】
0006686505.tif 000010
【図１０】
0006686505.tif 000011
【図１１】
0006686505.tif 000012
【図１２】
0006686505.tif 000013
【図１３】
0006686505.tif 000014
【図１４】
0006686505.tif 000015
【図１５】
0006686505.tif 000016
【図１６】
0006686505.tif 000017
【図１７】
0006686505.tif 000018
【図１８】
0006686505.tif 000019
【図１９】
0006686505.tif 000020
【図２０】
0006686505.tif 000021
【図２１】
0006686505.tif 000022
【図２２】
0006686505.tif 000023
【図２３】
0006686505.tif 000024
【図２４】
0006686505.tif 000025